(57)【要約】【課題】伸縮ブームを作動するためのホース等が破損した場合でも、伸縮ブームを作動可能な作業機のブーム作動用油圧回路を提供する。【解決手段】この橋梁点検車（作業機）の油圧回路には、油圧ポンプ４２からの圧油を制御する切換制御弁４１が備えられており、さらに、伸縮ブームを作動させる複数の油圧アクチュエータ１４〜２０それぞれに対する圧油の給排を制御する複数の電磁弁２４〜３０を有する切換手段と、その切換手段の複数の電磁弁２４〜３０に接続された給排管路２１、２２とを二系統備えている。そして、切換制御弁４１は、二系統の給排管路２１、２２のうちのいずれか一方との接続を選択可能に構成され、その選択したいずれか一方の給排管路に接続された切換手段の複数の電磁弁２４〜３０に、この切換制御弁４１を介して必要な圧油を給排可能になっている。【選択図】図１
2008056438.tif 000002
【特許請求の範囲】
【請求項１】
相互に連接される複数のブームと、それら複数のブームを作動させるための複数の油圧アクチュエータとを有する伸縮ブームを備える作業機に用いられ、前記複数の油圧アクチュエータの作動に必要な油圧ポンプからの圧油を給排するための油圧回路であって、
前記複数の油圧アクチュエータそれぞれに対する圧油の給排を制御する複数の電磁弁を有する第一の切換手段と、その第一の切換手段の各電磁弁に接続される第一の給排管路と、前記第一の切換手段とは別個に設けられて前記複数の油圧アクチュエータそれぞれに対する圧油の給排を制御する複数の電磁弁を有する第二の切換手段と、前記第一の給排管路とは別個に設けられて前記第二の切換手段の各電磁弁に接続される第二の給排管路と、前記油圧ポンプからの圧油を切換制御する切換制御弁とを備え、
前記切換制御弁は、前記第一の給排管路および第二の給排管路のうちのいずれか一方との接続を選択可能に構成されており、その選択したいずれか一方の給排管路に接続された切換手段の各電磁弁に当該切換制御弁を介して前記複数の油圧アクチュエータの作動に必要な圧油をそれぞれ給排可能に構成されていることを特徴とする作業機のブーム作動用油圧回路。
【発明の詳細な説明】
【技術分野】
【０００１】
本発明は、作業機のブーム作動用油圧回路に係り、特に、相互に連接される複数のブームと、それら複数のブームを作動させるための複数の油圧アクチュエータとを有する伸縮ブームを備える作業機に用いられ、前記複数の油圧アクチュエータの作動に必要な圧油を給排するための油圧回路に関するものである。
【背景技術】
【０００２】
この種の作業機として例えば一般的な高所作業機は、伸縮ブームがトラック等に架装されて自走可能になっており、その伸縮ブームを油圧アクチュエータで作動可能に構成される。
ところで、このような高所作業機は、伸縮ブームの作動中に、仮に伸縮ブームが他の物と干渉し、伸縮ブームを作動するためのホース等の油路が破損するといった非常の事態が発生することもあり得る。このような非常時には、例えば作動途中で伸縮ブームが停止してしまい、伸縮ブームを格納することが困難となり、立ち往生してしまう可能性がある。
【０００３】
このような非常時における問題は、ホースの切断等以外にも、例えば油圧アクチュエータを制御する電磁弁に作動不良が生じたり、あるいは車両エンジンが停止したり、油圧ポンプが圧油を吐出しないといった場合にも起こりうる。そこで、それらを含めた解決策として、例えば特許文献１に記載の技術では、非常時には伸縮ブームを自重で格納可能とするブーム格納安全回路が開示されている。
【特許文献１】特開平０９−２７９５号公報
【発明の開示】
【発明が解決しようとする課題】
【０００４】
しかしながら、例えば複数のブームを有する折れ曲げ式伸縮ブームを備える作業機においては、上記特許文献１に記載の技術を採用することはできない場合がある。
具体的には、この種の折れ曲げ式伸縮ブームを備える作業機として、橋梁の下面を点検するための橋梁点検車がある。
【０００５】
橋梁点検車は、架台の先端に複数のブームを連接して設け、これら複数のブーム相互の連接部分（以下、節ともいう）は、リンク機構および油圧シリンダを備えており、油圧シリンダを伸縮させることで各ブームが起伏作動可能になっている。そして、作業者は、各ブームを適宜操作して、伸縮ブームの先端部を橋梁の下面に配置させて橋梁の点検を行う。ここで、このような橋梁点検車は、橋梁の上から伸縮ブームを伸ばし、その伸縮ブームをコ字状にさせないと橋梁の下面まで伸縮ブームの先端を伸長させることはできない。そのため、この種の折れ曲げ式伸縮ブームは少なくとも３本のブームを連接させた構造になっている。したがって、作業機がこのような橋梁点検車である場合は、橋梁の下面まで伸縮ブームをコ字状に伸長させるので、非常時における伸縮ブームの格納方法として、上記特許文献１に記載の技術のような、ブームの自重に頼る方法を採用することはできない。
【０００６】
そこで、本発明は、このような問題点に着目してなされたものであって、特に、圧油で作動する複数のブームを連接してなる折れ曲げ式伸縮ブームを備える作業機に好適に用い得て、仮に伸縮ブームを作動するためのホース等が破損したといった非常時であっても、伸縮ブームを作動可能とし得る作業機のブーム作動用油圧回路を提供することを目的としている。
【課題を解決するための手段】
【０００７】
上記課題を解決するために、本発明は、相互に連接される複数のブームと、それら複数のブームを作動させるための複数の油圧アクチュエータとを有する伸縮ブームを備える作業機に用いられ、前記複数の油圧アクチュエータの作動に必要な油圧ポンプからの圧油を給排するための油圧回路であって、前記複数の油圧アクチュエータそれぞれに対する圧油の給排を制御する複数の電磁弁を有する第一の切換手段と、その第一の切換手段の各電磁弁に接続される第一の給排管路と、前記第一の切換手段とは別個に設けられて前記複数の油圧アクチュエータそれぞれに対する圧油の給排を制御する複数の電磁弁を有する第二の切換手段と、前記第一の給排管路とは別個に設けられて前記第二の切換手段の各電磁弁に接続される第二の給排管路と、前記油圧ポンプからの圧油を切換制御する切換制御弁とを備え、前記切換制御弁は、前記第一の給排管路および第二の給排管路のうちのいずれか一方との接続を選択可能に構成されており、その選択したいずれか一方の給排管路に接続された切換手段の各電磁弁に当該切換制御弁を介して前記複数の油圧アクチュエータの作動に必要な圧油をそれぞれ給排可能に構成されていることを特徴としている。
【発明の効果】
【０００８】
本発明によれば、切換制御弁は、第一の給排管路および第二の給排管路のうちのいずれか一方との接続を選択可能に構成されており、その選択したいずれか一方の給排管路に接続された切換手段の各電磁弁に、当該切換制御弁を介して複数の油圧アクチュエータの作動に必要な圧油をそれぞれ給排可能に構成されているので、複数の油圧アクチュエータの作動に必要な圧油を給排するための油圧回路を、いわば二系統備えていることになる。
【０００９】
したがって、本発明に係る作業機のブーム作動用油圧回路を、例えば橋梁点検車の油圧装置に用いれば、例えば二系統のうちの一方である第一の給排管路が不測の事故で破損したり、あるいはその一方の電磁弁に不具合が生じたりといった非常時であっても、切換制御弁の接続を他方の第二の給排管路側に切り換えることで、油圧ポンプからの圧油を複数の油圧アクチュエータに給排可能なので、伸縮ブームを作動させることができる。
【発明を実施するための最良の形態】
【００１０】
以下、本発明の一実施形態について図面を適宜参照しつつ説明する。なお、本実施形態は、圧油で作動する複数のブームを連接してなる伸縮ブームを備える作業機として、橋梁点検車に本発明を適用した例である。
図１は本発明の一実施形態を示す橋梁点検車の油圧回路図、図２は橋梁点検車の左側にブームが位置する場合の橋梁点検車の作業状態を後方から見た図、図３は橋梁点検車の右側にブームが位置する場合の橋梁点検車の作業状態を後方から見た図、また、図４は作業機のスイッチパネルを説明する図であり、同図では、そのスイッチパネルの模式に制御回路図を組み合わせて示している。
【００１１】
図２に示すように、この橋梁点検車１は、ベース２上に回動自在な架台３を有しており、その架台３上に伸縮ブーム１０が架装されている。この伸縮ブーム１０は、相互に連接される複数のブーム４、５、６を有している。これら複数のブーム４、５、６は、架台３先端側から順に、基端ブーム４、中間ブーム５および先端ブーム６から構成されている。そして、基端ブーム４および中間ブーム５、並びに中間ブーム５および先端ブーム６は、それぞれの先端部と基端部とが相互に回動可能に軸支されている。さらに、この伸縮ブーム１０は、それら複数のブーム４、５、６を作動させるための複数の油圧アクチュエータ１４、１５、１６、１７、１８、１９、２０を有している。そして、これら複数の油圧アクチュエータ１４〜２０の作動に必要な圧油を後述する油圧回路によって適宜給排することで、例えば同図に示すような略コ字状の伸長が可能になっている。なお、同図に示す例では、先端ブーム６の先端には、コンクリート等の亀裂を探傷するためのセンサ９が設けられており、橋梁１００の下面１０１にその先端を配置させることで橋梁の点検が可能である。
【００１２】
詳しくは、この橋梁点検車１の架台３先端には、基端ブーム４の基端部４ａが支軸３ａにて軸支されており、その支軸３ａを中心として基端ブーム４が起伏自在になっている。そして、架台３と基端ブーム４との間には、基端ブーム起伏シリンダ１４が設けられている。この基端ブーム起伏シリンダ１４は、そのロッド先端が基端ブーム４の基端側に回動可能に軸支され、また、そのチューブ側の基端が、架台３の下部に回動可能に軸支されている。そして、この基端ブーム起伏シリンダ１４が取り付けられている架台３の下部には、基端ブーム起伏電磁弁２４が設けられている。この基端ブーム起伏電磁弁２４は、基端ブーム４を起伏させるために必要な圧油を基端ブーム起伏シリンダ１４に給排するための電磁弁であり、この基端ブーム起伏電磁弁２４を適宜制御することで基端ブーム起伏シリンダ１４を伸縮させて、基端ブーム４を起伏可能になっている。
【００１３】
また、この基端ブーム４には、その内部に基端ブーム伸縮シリンダ１７が長手方向に沿って設けられている。そして、上記の基端ブーム起伏シリンダ１４を取付けたロッド先端側の支軸の上方且つ基端ブーム４の基端部には、基端ブーム伸縮電磁弁２７が設けられている。この基端ブーム伸縮電磁弁２７は、基端ブーム４を伸縮させるために必要な圧油を基端ブーム伸縮シリンダ１７に給排するための電磁弁であり、この基端ブーム伸縮電磁弁２７を適宜制御することで基端ブーム伸縮シリンダ１７を伸縮させて、基端ブーム４を伸縮可能になっている。
さらに、基端ブーム４と中間ブーム５との節には、略Ｖ字型の第一リンク３１と、長板状の第二リンク３２と、中間ブーム起伏シリンダ１５とが設けられている。
【００１４】
中間ブーム起伏シリンダ１５は、そのチューブ側の基端が基端ブーム４の先端側の上面に回動可能に軸支され、また、そのロッド先端が、第一リンク３１の中間部３１ａに回動可能に軸支されている。そして、第一リンク３１は、その略Ｖ字型の一端３１ｂが基端ブーム４の先端に軸支され、略Ｖ字型の他端３１ｃが第二リンク３２の一端に軸支されている。そして、第二リンク３２の他端は、中間ブーム５の基端に軸支されている。さらに、中間ブーム起伏シリンダ１５および基端ブーム４相互を繋ぐ位置の近傍には、中間ブーム起伏電磁弁２５が設けられている。この中間ブーム起伏電磁弁２５は、中間ブーム５を起伏させるために必要な圧油を中間ブーム起伏シリンダ１５に給排するための電磁弁であり、この中間ブーム起伏電磁弁２５を適宜制御することで中間ブーム起伏シリンダ１５を伸縮させて、中間ブーム５を起伏可能になっている。
【００１５】
さらに、中間ブーム５には、その内部に中間ブーム伸縮シリンダ１８が長手方向に沿って設けられている。そして、中間ブーム５の基端部には、中間ブーム回動装置２０が設けられている。この中間ブーム回動装置２０と中間ブーム５の側面のケーブルベヤ（登録商標）６１との中間部近傍には、中間ブーム伸縮電磁弁２８が設けられている。この中間ブーム伸縮電磁弁２８は、中間ブーム５を伸縮させるために必要な圧油を中間ブーム伸縮シリンダ１８に給排するための電磁弁であり、この中間ブーム伸縮シリンダ１８を適宜制御することで中間ブーム伸縮シリンダ１８を伸縮させて、中間ブーム５を伸縮可能になっている。
【００１６】
また、中間ブーム５には、その基端部に中間ブーム回動装置２０が設けられている。この中間ブーム回動装置２０は、中間ブーム５に固着された大型ギヤ３５と、油圧モータ３６と、その油圧モータ３６の出力軸に一次側が連結されるとともに、二次側が大型ギヤ３５に所望のトルクを伝達可能に歯合してなる減速機３７とを備えている。また、中間ブーム５の基端部には、中間ブーム旋回電磁弁３０が設けられている。この中間ブーム旋回電磁弁３０は、中間ブーム５を回動させるために必要な圧油を油圧モータ３６に給排するための電磁弁であり、この中間ブーム旋回電磁弁３０を適宜制御することで油圧モータ３６が駆動され、減速機３７から大型ギヤ３５を介して中間ブーム５を回動可能になっている。
【００１７】
また、中間ブーム５と先端ブーム６との節には、略Ｖ字型の第三リンク３３と、長板状の第四リンク３４と、先端ブーム起伏シリンダ１６とが設けられている。
先端ブーム起伏シリンダ１６は、そのチューブ側の基端が第三リンク３３の中間部３３ａに回動可能に軸支されており、そのロッド側が先端ブーム６の下面に回動可能に軸支されている。
【００１８】
そして、第三リンク３３は、その略Ｖ字型の一端３３ｂが第四リンク３４を介して中間ブーム５の先端に回動可能に軸支され、略Ｖ字型の他端３３ｃが先端ブーム６の基端部に回動可能に軸支されている。そして、先端ブーム６および第三リンク３３相互を繋ぐ位置の近傍には、先端ブーム起伏電磁弁２６が設けられている。この先端ブーム起伏電磁弁２６は、先端ブーム６を起伏させるために必要な圧油を先端ブーム起伏シリンダ１６に給排するための電磁弁であり、この先端ブーム起伏電磁弁２６を適宜制御することで先端ブーム起伏シリンダ１６を伸縮させて、先端ブーム６を起伏可能になっている。
【００１９】
また、先端ブーム６には、その内部に先端ブーム伸縮シリンダ１９が長手方向に沿って設けられている。そして、その先端ブーム６の基端部には、上記先端ブーム起伏電磁弁２６よりも先端ブーム６側面のケーブルベヤ（登録商標）６１寄りの位置に、先端ブーム伸縮電磁弁２９が設けられている。この先端ブーム伸縮電磁弁２９は、先端ブーム６を伸縮させるために必要な圧油を先端ブーム伸縮シリンダ１９に給排するための電磁弁であり、この先端ブーム伸縮電磁弁２９を適宜制御することで、先端ブーム伸縮シリンダ１９を伸縮させて、先端ブーム６を伸縮可能になっている。
【００２０】
さらに、この先端ブーム６には、その先端に、コンクリート等の亀裂を探傷するためのセンサ９が設けられている。このセンサ９は、伸縮ブーム１０の先端が橋梁１００の下面１０１に設置されたとき、橋梁１００の下面１０１とセンサ９の上面とを平行に位置させ得るようになっている。
【００２１】
詳しくは、センサ９は、先端ブーム６の先端部６ａに回動可能に軸支されており、また、先端ブーム６の先端とセンサ９との間には、センサ起伏シリンダ１３が設けられている。このセンサ起伏シリンダ１３は、そのロッド先端がセンサ９の底部側に回動可能に軸支されるとともに、そのチューブ側の基端が、先端ブーム６の先端に回動可能に軸支されている。そして、このセンサ起伏シリンダ１３が取り付けられている先端ブーム６の先端近傍には、センサ起伏電磁弁２３が設けられている。このセンサ起伏電磁弁２３は、センサ９を起伏させるために必要な圧油をセンサ起伏シリンダ１３に給排するための電磁弁であり、このセンサ起伏電磁弁２３を適宜制御することでセンサ起伏シリンダ１３を伸縮させて、橋梁１００の下面１０１とセンサ９の上面とを平行に位置させ得るようにセンサ９を起伏可能になっている。
【００２２】
次に、上記伸縮ブーム１０の複数の油圧アクチュエータの作動に必要な圧油を給排するための油圧回路についてより詳しく説明する。
この橋梁点検車１は、上述の複数の油圧アクチュエータの作動に必要な圧油を給排するための油圧回路として、図１に示すように、第一の給排管路２１および第二の給排管路２２の二系統を備えて構成されている。
【００２３】
つまり、この橋梁点検車１では、同図に示すように、その油圧回路は、車両の油圧ポンプ４２から吐出する圧油が、まず、油圧切換手段である切換制御弁４１に流入するように配管されている。そして、この切換制御弁４１のブーム操作レバー４３を操作することによって、油圧ポンプ４２から吐出された圧油が伸縮ブーム１０を作動させるための給排回路４４に流出するようになっている。そして、この給排回路４４には、その端部に接続手段として、手で繋ぎ換えることのできる流体継手５０Ａが設けられている。これに対し、第一の給排管路２１および第二の給排管路２２のそれぞれには、この流体継手５０Ａと対をなして構成されて流体継手５０Ａとの嵌脱が可能な流体継手５０Ｂが設けられている。これにより、給排回路４４は、この一対の流体継手５０Ａ、５０Ｂを介して第一の給排管路２１および第二の給排管路２２のそれぞれへの接続が可能になっている。
【００２４】
ここで、この第一の給排管路２１および第二の給排管路２２の二系統の油圧回路は、同様の構成を備えて構成されているので、以下、この二系統の油圧回路のうち、通常の使用時に主に使用する第一の給排管路２１について説明し、第二の給排管路２２については、同様の構成に係る詳しい説明を適宜省略する。
第一の給排回路２１は、図２に示すように、伸縮ブーム１０の左側に設けられている油圧回路である。この第一の給排管路２１の２本の油路は、架台３側面に位置する部分に上記一対の流体継手５０Ａ、５０Ｂのうちの他方の流体継手５０Ｂが設けられている。ここで、この一対の流体継手５０Ａ、５０Ｂには、一般的にカップリングまたはカプラ（登録商標）とも呼ばれるものを用いており、チェック弁が内蔵されたセルフロック式である。つまり、この一対の流体継手５０Ａ、５０Ｂのうち一方の流体継手５０Ａを第一の給排回路２１の他方の流体継手５０Ｂから外すと、第一の給排回路２１は遮断されるとともに、給排回路４４側の流体継手５０Ａからの圧油の流出も防止されるようになっている。
【００２５】
そして、この第一の給排管路２１の２本の油路は、切換制御弁４１からベース２の内部を通り、図２に示すように、架台３内のスイベルジョイント（図示略）を通じ、架台３下面の窓から架台３の外に出て、架台３側面の上記基端ブーム起伏電磁弁２４に接続され、次いで上記基端ブーム伸縮電磁弁２７に接続される。さらに、基端ブーム４に沿って先端へ向かって配設され、ケーブルベヤ（登録商標）６１を通って上記中間ブーム起伏電磁弁２５に接続される。
【００２６】
さらに、第一の給排管路２１の２本の油路は、基端ブーム４と中間ブーム５の節を通り、中間ブーム５の内部へ導入され、中間ブーム５内部に設けられた上記中間ブーム旋回電磁弁３０に接続される。さらに、この油路は、中間ブーム５の外に出て上記中間ブーム伸縮電磁弁２８に接続される。そして、中間ブーム５に沿って先端へ向かって配設され、ケーブルベヤ（登録商標）６１を通って中間ブーム５と先端ブーム６の節を通り抜け、上記先端ブーム起伏電磁弁２６に接続され、次いで上記先端ブーム伸縮電磁弁２９に接続される。そして、この先端ブーム伸縮電磁弁２９から先端ブーム６に沿って先端へ向かって配設され、ケーブルベヤ（登録商標）６１を通って上記センサ起伏電磁弁２３に接続されている。
【００２７】
これにより、この油圧回路は、車両の油圧ポンプ４２から吐出する圧油を切換制御弁４１から給排回路４４に流出させ、この給排回路４４の端部の一対の流体継手５０Ａ、５０Ｂを介して上述の第一の給排管路２１に供給可能であり、その第一の給排管路２１に接続された各電磁弁に、上記複数の油圧アクチュエータの作動に必要な圧油を適宜給排可能になっている。
【００２８】
ここで、この橋梁点検車１は、第一の給排管路２１および第二の給排管路２２の二系統の油圧回路のうち、図３に示すように、上述した第一の給排管路２１と同じ構成からなる第二の給排管路２２を、伸縮ブーム１０の左側にも設けている。
つまり、上述した各々の油圧アクチュエータを作動させるには、油圧アクチュエータ毎に少なくとも１つの電磁弁を有すればよいが、この橋梁点検車１には、各電磁弁の作動不具合を考慮した安全対策のため、上記第一の給排回路２１および第二の給排回路２２ともに各油圧アクチュエータに対応する電磁弁をそれぞれ設けている。なお、油圧アクチュエータは、第一、第二の給排回路２１、２２のどちらか一方の電磁弁で作動させればよいため、第一の給排回路２１によって並列接続された各電磁弁２４〜３０の油路、および第二の給排回路２２によって並列接続された各電磁弁２４〜３０の油路は合流して対応する油圧アクチュエータ１４〜２０に流入するようになっている。
【００２９】
詳しくは、この第二の給排回路２２は、第一の給排管路２１と同様に、給排回路４４との接続手段として、給排回路４４側の流体継手５０Ａが接続される流体継手５０Ｂが端部に設けられている。この流体継手５０Ｂは、コントロールバルブと、ブーム作動用の油圧アクチュエータヘの管路との間に、且つ伸縮ブーム１０作動時には干渉することが無い位置である架台３側面に設けられている。そのため、例えば上記第一の給排管路２１を構成する油路のいかなる箇所が損傷した場合であっても、給排回路４４側の流体継手５０Ａを第二の給排回路２２の流体継手５０Ｂに繋ぎ換えることで破損していない油路を確保できるようになっている。
【００３０】
このように、この第二の給排管路２２は、上述した第一の給排管路２１と同じ構成を有しているので、例えば不測の事態によりブーム作動用のホースが破損し、伸縮ブーム１０を作動できなくなった場合、応急復旧装置として使用することができるようになっている。
【００３１】
次に、上記各電磁弁を制御するための電気回路の構造について説明する。
図４に示すように、上記第一の給排回路２１および第二の給排回路２２それぞれの各電磁弁２４〜３０には、第一の給排回路２１によって並列接続された各電磁弁２４〜３０を作動させるための第一電気回路５１と、第二の給排回路２２によって並列接続された各電磁弁２４〜３０を作動させるための第二電気回路５２とをそれぞれ個別に設けている。そして、電源５５に対し、第一電気回路５１は、第一コネクタ５３で電源５５への繋ぎ替えが可能であり、また、第二電気回路５２は、第二コネクタ５４で電源５５への繋ぎ替えが可能に構成されている。これら第一、第二の電気回路５１、５２は、第一、第二の給排回路２１、２２の油路と共に伸縮ブーム１０の側面に並走して設けている。
【００３２】
つまり、この橋梁点検車１は、第一、第二の給排回路２１、２２の各電磁弁２４〜３０に供給する電気についても二系統を有する構成としている。そして、図４に示す電気配線図に示すように、第一電気回路５１、第二電気回路５２ともに電源５５と各々の電磁弁２４〜３０のコイルとは並列回路にて接続されている。そして、各々の電磁弁２４〜３０のコイルとアースとの間には、各々の電磁弁２４〜３０を作動させるスイッチが接続されており、このスイッチを作動したい方向に切換えることによってコイルに通電がされて圧油の油路を切換え可能になっている。
ここで、上記第一の切換手段には、第一の給排管路２１によって並列接続された複数の電磁弁２４〜３０が対応し、上記第二の切換手段には、第二の給排管路２２によって並列接続された複数の電磁弁２４〜３０が対応する。
【００３３】
次に、この橋梁点検車１およびその油圧回路の作用・効果について説明する。
上述のように、この橋梁点検車１は、伸縮ブーム１０を作動させる複数の油圧アクチュエータの作動に必要な圧油を給排するための油圧回路として、上述の第一の給排管路２１および第二の給排回路２２の二系統備えており、また、第一および第二の給排管路２１、２２によって並列接続された複数の電磁弁２４〜３０を制御するための電気回路についても、第一電気回路５１および第二電気回路５２の二系統を備えているので、例えば油圧回路を第一の給排管路２１で使用するときは、給排回路４４の流体継手５０Ａを第一の給排管路２１の流体継手５０Ｂに繋ぐとともに、第一電気回路５１の第一コネクタ５３を電源５５に繋ぐことで使用可能である。
【００３４】
また同様に、油圧回路を第二の給排回路２２で使用するときは、給排回路４４の流体継手５０Ａを第二の給排回路２２の流体継手５０Ｂに繋ぐとともに、第二電気回路５２の第ニコネクタ５４を電源５５に繋ぐことで使用可能であり、二系統の油圧回路を適宜切り換えて使用することができる。
したがって、例えば二系統のうちの一方の給排管路が不測の事故で破損したり、あるいは二系統のうちの一方の電磁弁のいずれかに不具合が生じたりといった非常時であっても、流体継手５０Ａを他方の給排管路の流体継手５０Ｂに繋ぎ替えて切換制御弁４１の接続を他方の給排管路側に切り換えるとともに、電源５５を他方のコネクタに繋ぎ替えることで、油圧ポンプ４２からの圧油を複数の油圧アクチュエータに給排して伸縮ブーム１０を作動させることができる。
【００３５】
具体的な例として、最初の使用時に、伸縮ブーム１０を作動させる油圧回路が、右側の第一の給排管路２１側に接続がされており、この第一の給排管路２１が破損して、伸縮ブーム１０の作動ができなくなった場合の復旧作業について説明する。
図２に示すように、この橋梁点検車１において、仮に不測の事態によって、伸縮ブーム１０右側の第一の給排管路２１が破損したときには、まず、油圧ポンプ４２を止めて、圧油の供給をストップさせる。次に、第一の給排管路２１内の篭り圧を抜き去った後、流体継手５０Ａを手で切り離し、架台３反対面の第二の給排回路２２の流体継手５０Ｂに流体継手５０Ａを接続する。そして、電気回路についても、電源５５と第一コネクタ５３との接続を外し、電源５５と第ニコネクタ５４とを接続する。なお、この一対の流体継手５０Ａ、５０Ｂは、上述のようにセルフロック式なので、流体継手５０Ａを外した第一の給排管路２１の流体継手５０Ｂは遮断され、また、外した流体継手５０Ａから圧油が流出することもない。
【００３６】
これにより、この橋梁点検車１およびその油圧回路によれば、第一の給排管路２１から第二の給排回路２２への切り換えが容易に可能であり、伸縮ブーム１０を作動させる複数の油圧アクチュエータ１４〜２０の作動に必要な圧油を給排することができるので、仮に伸縮ブーム１０を作動するためのホース等が破損したといった非常時であっても、伸縮ブーム１０を作動させることができる。
【００３７】
また、この橋梁点検車１およびその油圧回路によれば、エンジンまたは油圧ポンプに不具合が発生した場合には、従来の様な非常用ポンプ（不図示）を用いて作動停止を回避するだけでなく、同種のカプラ（登録商標）等の流体継手を有する油圧装置を持つ他車が有れば、その他車の油圧ポンプから圧油を供給させることも可能である。
なお、本発明に係る作業機およびその作業機のブーム作動用油圧回路は、上記実施形態に限定されるものではなく、本発明の趣旨を逸脱しなければ種々の変形が可能である。
例えば、上記実施形態では、作業機として橋梁点検車の例で説明したが、これに限定されず、本発明は、複数のブームが相互に連接されてなる伸縮ブームと、その伸縮ブームを作動させるための複数の油圧アクチュエータとを備える作業機に適用することができる。
【図面の簡単な説明】
【００３８】
【図１】本発明の一実施形態を示す橋梁点検車の油圧回路図である。
【図２】橋梁点検車の左側にブームが位置する場合の橋梁点検車の作業状態を後方から見た図である。
【図３】橋梁点検車の右側にブームが位置する場合の橋梁点検車の作業状態を後方から見た図である。
【図４】作業機のスイッチパネルを説明する図であり、同図では、そのスイッチパネルの模式に制御回路図を組み合わせて示している。
【符号の説明】
【００３９】
１    橋梁点検車（作業機）
２    ベース
３    架台
４    基端ブーム
５    中間ブーム
６    先端ブーム
８    ブーム
９    センサ
１０    伸縮ブーム
１３    センサ起伏シリンダ（油圧アクチュエータ）
１４    基端ブーム起伏シリンダ（油圧アクチュエータ）
１５    中間ブーム起伏シリンダ（油圧アクチュエータ）
１６    先端ブーム起伏シリンダ（油圧アクチュエータ）
１７    基端ブーム伸縮シリンダ（油圧アクチュエータ）
１８    中間ブーム伸縮シリンダ（油圧アクチュエータ）
１９    先端ブーム伸縮シリンダ（油圧アクチュエータ）
２０    中間ブーム回動装置（油圧アクチュエータ）
２１    第一の給排管路
２２    第二の給排管路
２３    センサ起伏電磁弁（切換手段）
２４    基端ブーム起伏電磁弁（切換手段）
２５    中間ブーム起伏電磁弁（切換手段）
２６    先端ブーム起伏電磁弁（切換手段）
２７    基端ブーム伸縮電磁弁（切換手段）
２８    中間ブーム伸縮電磁弁（切換手段）
２９    先端ブーム伸縮電磁弁（切換手段）
３０    中間ブーム旋回電磁弁（切換手段）
３１    第一リンク
３２    第二リンク
３３    第三リンク
３４    第四リンク
３５    大型ギヤ
３６    油圧モータ
３７    減速機
４１    切換制御弁
４２    油圧ポンプ
４３    ブーム操作レバー
４４    給排回路
５０Ａ、５０Ｂ    流体継手（接続手段）
５１    第一電気回路
５２    第二電気回路
５３    第一コネクタ
５４    第ニコネクタ
５５    電源
６１    ケーブルベヤ（登録商標）
１００    橋梁
１０１    （橋梁の）下面
【図１】
2008056438.tif 000003
【図２】
2008056438.tif 000004
【図３】
2008056438.tif 000005
【図４】
2008056438.tif 000006